(57)【要約】【課題】物が置かれることにより発生する不具合を防ぐことができる媒体読取装置を提供するものである。【解決手段】媒体読取装置１であって、媒体から情報を読み取るための読取領域２１ｂを含み、前記媒体が載置される載置面２１ａを有する載置部２０と、載置面２１ａ上で前記媒体を位置決めするために当該媒体が突き当てられる突当部２２ｆと、載置面２１ａに載置された前記媒体から読取領域２１ｂの部分の情報を読み取る読取部３０と、載置面２１ａと所定の間隔を空けて対向して設けられた庇部１２と、を備え、庇部１２と載置面２１ａとの間に開口Ｋ１が形成され、読取領域２１ｂおよび突当部２２ｆは、庇部１２の先端位置よりも開口Ｋ１と反対側に存在する。【選択図】図４
2020195067.tif 000002
【特許請求の範囲】
【請求項１】
媒体から情報を読み取るための読取領域を含み、前記媒体が載置される載置面を有する載置部と、
前記載置面上で前記媒体を位置決めするために当該媒体が突き当てられる突当部と、
前記載置面に載置された前記媒体から前記読取領域の部分の情報を読み取る読取部と、
前記載置面と所定の間隔を空けて対向して設けられた庇部と、を備え、
前記庇部と前記載置面との間に開口が形成され、前記読取領域および前記突当部は、前記庇部の先端位置よりも前記開口と反対側に存在する、
ことを特徴とする媒体読取装置。
【請求項２】
前記庇部は、先端部分の下部が前記開口と反対側に向かって傾斜している先端傾斜部を有する、ことを特徴とする請求項１に記載の媒体読取装置。
【請求項３】
前記突当部は、前記先端傾斜部の延長線上に形成されている、ことを特徴とする請求項２に記載の媒体読取装置。
【請求項４】
前記読取領域の端部は、前記庇部の先端から前記読取領域に向かう鉛直線上に位置する、ことを特徴とする請求項１ないし請求項３の何れか一項に記載の媒体読取装置。
【請求項５】
前記読取部は、媒体に記載される情報を光学的に読み取る光学読取部と、媒体に格納される情報を非接触通信により読み取る非接触読取部と、を備え、
前記光学読取部は、前記読取領域を介して前記媒体に記載される情報を読み取り、
前記非接触読取部は、前記載置面を介して前記媒体に格納される情報を取得し、
前記庇部は、前記読取領域の上方のみを覆い、前記読取領域以外の範囲の上方は覆わない、
ことを特徴とする請求項１ないし請求項４の何れか一項に記載の媒体読取装置。
【請求項６】
前記庇部は、上面が前記載置面に向かって傾斜した上部傾斜部を有する、ことを特徴とする請求項１ないし請求項５の何れか一項に記載の媒体読取装置。
【請求項７】
前記上部傾斜部には、突条の突起が形成されている、ことを特徴とする請求項６に記載の媒体読取装置。
【請求項８】
本体部と、
媒体から情報を読み取るための読取領域を含み、前記媒体が載置される載置面を有する載置部と、
前記載置面上で前記媒体を位置決めするために当該媒体が突き当てられる突当部と、
前記載置面に載置された前記媒体から前記読取領域の部分の情報を読み取る読取部と、
前記本体部から上方に伸びる壁部と、
前記載置面と対向して設けられ、前記壁部から水平方向に突出する庇部と、を備え、
前記読取領域および前記突当部は、前記庇部の先端位置よりも前記壁部側の位置に存在する、
ことを特徴とする媒体読取装置。
【発明の詳細な説明】
【技術分野】
【０００１】
本発明は、媒体読取装置に関する。
【背景技術】
【０００２】
現在、機械読取式のパスポート（「旅券」とも呼ばれる）が一般的に使用されている。機械読取式のパスポートには、名義人の情報が文字コードとして記載されている。この機械読取式のパスポートの仕様（文字コードを記載する場所などを含む）は、国際民間航空機関（ＩＣＡＯ：International Civil Aviation Organization）によって規定されている。
【０００３】
また、ＩＣ（Integrated Circuit）チップが格納されたパスポート（「ＩＣパスポート」とも呼ばれる）の普及が進められている。ＩＣチップには、名義人の国籍、氏名、生年月日などの身分事項および顔画像が格納されている。ＩＣチップは、シート状の筐体内にアンテナとともに収容されている。
【０００４】
従来、パスポートから光学技術を用いて文字コードを読み取る読取装置が開発されている（特許文献１参照）。また、文字コードの読み取りに加えて、非接触通信技術を用いてＩＣチップに格納される情報を取得する読取装置が開発されている（特許文献２参照）。
【先行技術文献】
【特許文献】
【０００５】
【特許文献１】特開２０１０−２５１９３０号公報
【特許文献２】特開２０１３−０８４１２９号公報
【発明の概要】
【発明が解決しようとする課題】
【０００６】
しかしながら、特許文献１，２に記載される読取装置では、パスポートを載置する載置面（読取面）の保護についての検討がされていなかった。そのため、読取装置の利用者が手荷物（例えば、鞄や飲料缶等）を載置面上に不用意に置いた場合に、載置面が傷付いてしまうという問題があった。載置面が傷付くことによって読取不良が発生するので、載置面には物が置かれないことが望ましい。
【０００７】
本発明は、前記問題に鑑みてなされたものであり、物が置かれることにより発生する不具合を防ぐことができる媒体読取装置を提供するものである。
【課題を解決するための手段】
【０００８】
前記課題を解決するため、本発明の一態様に係る媒体読取装置は、媒体から情報を読み取るための読取領域を含み、前記媒体が載置される載置面を有する載置部と、前記載置面上で前記媒体を位置決めするために当該媒体が突き当てられる突当部と、前記載置面に載置された前記媒体から前記読取領域の部分の情報を読み取る読取部と、前記載置面と所定の間隔を空けて対向して設けられた庇部と、を備え、前記庇部と前記載置面との間に開口が形成され、前記読取領域および前記突当部は、前記庇部の先端位置よりも前記開口と反対側に存在することを特徴とする。
【発明の効果】
【０００９】
本発明によれば、物が置かれることにより発生する不具合を防ぐことができる。
【図面の簡単な説明】
【００１０】
【図１】本発明の実施形態に係る媒体読取装置の外観斜視図である。
【図２】本発明の実施形態に係る媒体読取装置の正面図である。
【図３】本発明の実施形態に係る媒体読取装置の平面図である。庇部は一部を破断させて示している。
【図４】図３のＩＶ−ＩＶに対応する縦断面図である。
【図５】本発明の実施形態に係る媒体読取装置へのパスポートの載置を説明するためのイメージ図である。
【図６】庇部の設計方法を説明するための図である。媒体読取装置は右側壁を省略した状態で示している。
【図７】変形例に係る媒体読取装置の斜視図である。
【発明を実施するための形態】
【００１１】
以下、図面を参照して、本発明の実施の形態について詳細に説明する。各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている場合がある。なお、各図において、共通する構成要素や同様な構成要素については、同一の符号を付し、それらの重複する説明を省略する。
【００１２】
＜実施形態に係る媒体読取装置の構成＞
図１ないし図６を参照して、実施形態に係る媒体読取装置１の構成について説明する。媒体読取装置１の説明における「上下」、「左右」、「前後」は、図１の矢印に従う。当該方向は、説明の便宜上定めるものであり、本発明を限定するものではない。前方は、媒体読取装置１の利用者が位置する場所である（図６参照）。
【００１３】
図１に示す媒体読取装置１は、媒体から情報を読み取る装置である。媒体は、読み取る対象として何かしらの情報を有するものであればよく、例えば、身分を証明するもの（パスポート、免許証、マイナンバーカード、障害者手帳など）であってよい。媒体の形状は特に限定されず、例えば冊子状、シート状、カード状などの形状を呈するものであってよい。なお、媒体は、帳票であってもよい。本実施形態では、媒体として特にパスポート９（図５参照）を想定する。
【００１４】
図５に示すように、パスポート９は、複数の用紙が中央で綴じられた構成（冊子状）である。パスポート９は、名義人の情報を示す文字コードが記載されたコード領域９ａを有している。媒体読取装置１は、コード領域９ａから当該文字コードを読み取り、読み取った文字コードから名義人の情報を取得する。コード領域９ａは、特定の用紙（例えば、顔写真が貼られたページ）の綴じられていない側の長辺に沿って配置されている。また、パスポート９は、ＩＣチップ９ｂが格納された用紙を有する。ＩＣチップ９ｂは、例えば、シート状の筐体内にアンテナとともに収容されている。ＩＣチップ９ｂには、例えば、名義人の国籍、氏名、生年月日などの身分事項および顔画像が格納されている。ＩＣチップ９ｂは、コード領域９ａが配置された用紙に格納されていてもよいし、それ以外の用紙に格納されていてもよい。
【００１５】
媒体読取装置１は、パスポート９の所有者の身分を認証する様々な場面で使用することができ、例えば、所有者が自ら媒体読取装置１にパスポート９を載置させ、パスポート９から情報を読み取る作業を行う。なお、パスポート９の所有者でない第三者（例えば、施設側の職員）が、媒体読取装置１を用いてパスポート９の読み取り作業を所有者に代わって行ってもよい。
【００１６】
なお、媒体読取装置１は、図示しない情報処理装置と通信可能に接続され、読み取ったパスポート９の情報を情報処理装置に送信してもよい。図示しない情報処理装置は、パスポート９の情報を用いて何らかの処理を行う装置であり、例えばＰＣ（Personal Computer）である。
【００１７】
図１に示すように、媒体読取装置１は、読取ユニット２と、筐体１０とを主に備える。筐体１０は、媒体読取装置１の他の構成要素を内部に収容する部材である。筐体１０は、本体部１１と、庇部１２と、後壁部１３と、右側壁１４と、左側壁１５とを主に備える。筐体１０は基本的に金属製であり、読取ユニット２に含まれる非接触読取部３２（図４参照）が発生する磁界の範囲内は樹脂製になっている。非接触読取部３２の詳細は後記する。
【００１８】
図１に示す本体部１１は、筐体１０の基礎となる部分であり、読取ユニット２を収容する。ここでの本体部１１は、前後方向に長い直方体状を呈している。図２に示すように、読取ユニット２は、左右方向において本体部１１の中央に配置されている。また、図４に示すように、読取ユニット２は、前後方向において本体部１１の中央に配置されている。
【００１９】
図２に示すように、読取ユニット２は、パスポート９を載置する載置部２０と、載置部２０に載置されたパスポート９から情報を読み取る（取得する）読取部３０とを主に備える。
【００２０】
図４に示すように、読取部３０は、パスポート９（特に、コード領域９ａに記載される文字コード）を光学的に読み取る光学読取部３１と、ＩＣチップ９ｂに格納される情報を電磁誘導による結合を介して読み取る非接触読取部３２とを備える。
【００２１】
光学読取部３１は、例えば、光源、カメラなどを備え、光学文字認識（ＯＣＲ：Optical Character Recognition/Reader）技術を用いて文字コードを認識する。光学読取部３１は、「イメージリーダ」などと呼ばれる場合がある。なお、光学読取部３１は、文字コード以外の情報を読み取ってもよい。また、光学読取部３１は、文字認識を行わずに画像の取り込みのみを行ってもよい。
【００２２】
非接触読取部３２は、例えば、アンテナを備え、非接触通信技術を用いて情報を取得する。非接触読取部３２は、「非接触ＩＣリーダ」などと呼ばれる場合がある。非接触読取部３２のアンテナは磁界を発生する。なお、非接触読取部３２における通信方式は特に限定されない。
【００２３】
図１に示すように、載置部２０は、パスポート９（図５参照）が載置される台座である。図３に示すように、載置部２０は、透明なガラス板２１と、ガラス板２１の周囲を囲む平面視で矩形状の枠部材２２とを備える。ガラス板２１は、パスポート９から情報を読み取るための光や磁界を通過させる。以下では、ガラス板２１の上面（すなわち、パスポート９に接する側の面）を「載置面２１ａ」と呼ぶことにする。すなわち、媒体読取装置１の利用者は、載置面２１ａにパスポート９を載置する。
【００２４】
載置面２１ａには、光学読取部３１（図４参照）によってコード領域９ａに記載される文字コードを適切に読み取ることができる領域が設定されている。以下では、この領域を「読取領域２１ｂ」と呼ぶことにする。読取領域２１ｂは、光学読取部３１が有するカメラの撮影範囲のように物理的に決められる領域であってもよいし、媒体読取装置１の運用方法などによって設計者によって予め決められる領域であってもよい。図３に示すように、読取領域２１ｂは、庇部１２の下方に設定されており、平面視した場合に庇部１２は読取領域２１ｂの上方を覆う。なお、非接触読取部３２は、自身が発生する磁界の中にＩＣチップ９ｂが位置していれば情報の取得が可能であり、ここでは載置面２１ａ上の位置に関わらず、ＩＣチップ９ｂからの情報の取得が可能である。
【００２５】
図３に示すように、枠部材２２は、主に、前部２２ａ、右側部２２ｂ、左側部２２ｃおよび後部２２ｄからなる。枠部材２２の内側には、ガラス板２１が固定されている。
図１に示すように、枠部材２２の前部２２ａは、前方が低くなるように傾斜しており、最も高い場所（載置面２１ａとの境界部分）は載置面２１ａと同じ高さになっている。これにより、媒体読取装置１の利用者は、前方から滑らせるようにして載置面２１ａにパスポート９を載置させることができる。
【００２６】
図１および図２に示すように、枠部材２２の右側部２２ｂおよび左側部２２ｃの一部（載置面２１ａとの境界部分）は、載置面２１ａに対して特に高くなっており、パスポート９をガイドする役割を担っている。以下では、右側部２２ｂおよび左側部２２ｃにおいて載置面２１ａに対して高くなっている部分を、特に「ガイド部２２ｅ」と呼ぶことにする。ガイド部２２ｅは、パスポート９を好適にガイドすることができればよく、その形状は特に限定されない。
【００２７】
図１および図４に示すように、枠部材２２の後部２２ｄの一部（載置面２１ａとの境界部分）は、載置面２１ａに対して特に高くなっており、パスポート９が突き当たることによってパスポート９の位置決めをする役割を担っている。以下では、後部２２ｄにおいて載置面２１ａに対して高くなっている部分を、特に「突当部２２ｆ」と呼ぶことにする。突当部２２ｆは、パスポート９を突き当てることによって好適にパスポート９を位置決めすることができればよく、その形状は特に限定されない。また、突当部２２ｆにおいてパスポート９が突き当たる面（つまり、パスポート９に対向する面）を特に「突当面２２ｆａ」と呼ぶことにする。本実施形態では、読取領域２１ｂが、突当部２２ｆの近傍に設定されており、読取領域２１ｂの前後方向（突き当て方向）の長さは、例えば「25mm〜35mm」の範囲で設定される。
【００２８】
図５に示すように、媒体読取装置１の利用者は、コード領域９ａが配置されたページを開いた状態、かつ、コード領域９ａが後方（つまり、媒体読取装置１の奥側）に位置するようにしてパスポート９を載置面２１ａに載置させる。この際、媒体読取装置１の利用者は、パスポート９のコード領域９ａが配置される側の長辺９ｆが突当部２２ｆに突き当たることによってパスポート９を所定の位置（読取位置）に載置したことを知ることができる。パスポート９を図５に示す所定の位置（読取位置）に載置することで、コード領域９ａは読取領域２１ｂ内に収容される。
【００２９】
図１に示す庇部１２は、載置面２１ａ（特に、読取領域２１ｂ）に読取対象物以外の物（例えば、鞄、飲料缶等）が置かれるのを防ぐためのものである。そのため、庇部１２は、載置面２１ａを保護できる形状を呈している。また、庇部１２は、媒体読取装置１の利用者がパスポート９を載置面２１ａに載置させる場合に、パスポート９と突当部２２ｆとが当接していること（つまり、パスポート９を正しく読取位置に載置できていること）を目視で確認することができる形状、または目視で確認しやすい形状を呈している。ここで、目視で確認することができる形状とは、例えば、利用者が直立している状態で媒体読取装置１を利用することを想定した場合においては、直立している状態でパスポート９と突当部２２ｆとの当接を視認できる形状である。また、目視で確認しやすい形状とは、例えば、利用者が直立している状態で媒体読取装置１を利用することを想定した場合においては、直立している状態からやや屈んだ状態のように少しの動作を行うことによってパスポート９と突当部２２ｆとの当接を視認できる形状である。
【００３０】
ここでの庇部１２は、図４に示すように、本体部１１の上面１１ａおよび載置面２１ａに対向して設けられている。庇部１２は、後壁部１３から前方に突出した形状を呈している。庇部１２の前後方向（突出方向）の長さは、本体部１１に対して短くなっている。庇部１２の先端部の前後方向における位置Ｐ１は、読取領域２１ｂの前端部の位置Ｑ１と同じ、または読取領域２１ｂの前端部の位置Ｑ１よりも前方に位置する（図４では同じ位置である）。つまり、図４に示すように左右方向に直交する平面を断面として見た場合に、読取領域２１ｂの前端部の位置Ｑ１は、庇部１２の先端部の鉛直線Ｔ上またはそれよりも後方に位置する（図４では鉛直線Ｔ上である）。これにより、平面視した場合に、庇部１２は読取領域２１ｂおよび突当部２２ｆの上方を覆う（図３参照）。
【００３１】
庇部１２と本体部１１との間には空間Ｋが形成されており、空間Ｋは開口Ｋ１を有する。この開口Ｋ１は、庇部１２の先端部の位置Ｐ１から鉛直線Ｔの方向に向かって載置面２１ａとの間に形成されている。パスポート９を読取位置に載置する場合に、利用者は開口Ｋ１を介して空間Ｋにパスポート９を進入させ、パスポート９が突当部２２ｆに突き当てられる。
また、図４に示すように、庇部１２は、後方の根元側から前方の先端側に向かうにつれて上下方向の幅が徐々に小さくなっている。言い換えると、庇部１２は、先端に向かって厚さが薄くなっている。庇部１２は、天井部１２ａと、先端傾斜部１２ｂと、上部傾斜部１２ｃとを主に有している。
【００３２】
天井部１２ａは、本体部１１の上面１１ａに対向する部分（すなわち、庇部１２の下面部分）である。天井部１２ａは、本体部１１の上面１１ａと並行に形成されている。天井部１２ａの位置および形状は、情報の読取時に光学読取部３１から発せられる光が反射することによる読取不良を起こさないようになっている。読取領域２１ｂと天井部１２ａとの距離が近すぎると、光学読取部３１から発せられる光によって読取不良を起こす可能性がある。一方、載置面２１ａと天井部１２ａとの距離が遠すぎると、読取領域２１ｂに物を置かれる可能性が高まる。そのため、読取領域２１ｂと天井部１２ａとの距離は、読取不良を起こさない最低限の距離にするのがよい。
【００３３】
上部傾斜部１２ｃは、天井部１２ａに対して本体部１１と反対側の部分（すなわち、庇部１２の上面部分）である。上部傾斜部１２ｃは、前側が後側に対して低くなるように（つまり、前側が載置面２１ａに近づくように）傾斜している。上面１１ａ（水平面）に対する上部傾斜部１２ｃの傾斜角度θ２は、庇部１２の上部に物が置けないまたは置き難い角度になっている。傾斜角度θ２は、例えば「10°〜30°」の範囲で設定される。上部傾斜部１２ｃは、曲面を含んだ構成であってもよい。
【００３４】
先端傾斜部１２ｂは、天井部１２ａの一端と上部傾斜部１２ｃの一端との間に延在して形成される部分（すなわち、庇部１２の先端部分）である。先端傾斜部１２ｂは、下側が上側に対して後方の根本側に近づくように傾斜している。つまり、先端傾斜部１２ｂは、天井部１２ａとの境界部分に対して上部傾斜部１２ｃとの境界部分が前方に位置する。前後方向（突出方向）に直交する平面（上下左右で構成される平面）に対する先端傾斜部１２ｂの傾斜角度θ１は、図６に示すように、利用者による突当部２２ｆ（特に、突当面２２ｆａ）への視線Ｓが妨げられないまたは妨げられ難い（つまり、視認性を悪くしない）角度になっている。つまり、図４に示すように左右方向に直交する平面を断面として見た場合に、突当部２２ｆ（特に、突当面２２ｆａ）は、先端傾斜部１２ｂの延長線Ｕ上またはそれよりも前方に位置する（図４では延長線Ｕ上である）。先端傾斜部１２ｂの傾斜角度θ１は、例えば「20°〜50°」の範囲で設定される。なお、先端傾斜部１２ｂは、曲面を含んだ構成であってもよい。その場合、突当部２２ｆは、例えば、先端傾斜部１２ｂの曲面の利用者の視線に対応する接線上またはそれよりも前方に位置する。
【００３５】
図４に示すように、後壁部１３は、本体部１１と庇部１２との間を連結する壁状の部分である。ここでの後壁部１３は、左右方向に長い直方体状を呈している。後壁部１３の内壁１３ａは、載置面２１ａの後端部から所定の距離をおいて形成されている。これは、非接触読取部３２が発生する磁界への干渉を考慮したものである。非接触読取部３２によるＩＣチップ９ｂの情報の読み取りに影響がなければ（読取不良が発生しなければ）、後壁部１３の内壁１３ａは載置面２１ａの後端部の近くに形成してもよい。
【００３６】
図１に示すように、右側壁１４および左側壁１５は、本体部１１の両側に取り付けられた側面視で略三角形状の板材である。右側壁１４および左側壁１５は、本体部１１、庇部１２および後壁部１３に跨って形成されており、右側壁１４と左側壁１５との間に、本体部１１、庇部１２および後壁部１３が挟まれる。右側壁１４および左側壁１５の上部は、庇部１２の上部傾斜部１２ｃに対応して傾斜している。
【００３７】
＜実施形態に係る媒体読取装置の設計方法＞
次に、図１ないし図６を参照して、媒体読取装置１における庇部１２の設計方法について説明する。なお、ここで説明する設計方法はあくまで例示である。
【００３８】
（１）最初に、設計者は、パスポート９を置く場所を決定する。つまり、本体部１１における載置部２０の位置を決定する。
（２）次に、設計者は、図６に示すように、媒体読取装置１の設置された状態を想定し、媒体読取装置１と利用者との位置関係を決定する。ここでは、地面に固定された台８上に媒体読取装置１を設置する場合を想定している。利用者として想定する人物は、任意の者であってよく、例えば媒体読取装置１が設置される場所や用途に応じて適切な人物を利用者として選定する。そして、突当部２２ｆに対する利用者の視線Ｓを算出する。
【００３９】
（３）次に、設計者は、読取領域２１ｂ（図４参照）を決定する。つまり、載置部２０におけるパスポート９の載置の仕方を決定し、パスポート９を載置した状態でコード領域９ａ（図５参照）を含む範囲を読取領域２１ｂとする。
（４）次に、設計者は、読取領域２１ｂの前端部から上方に鉛直線Ｔを描いて、視線Ｓ（図６参照）と鉛直線Ｔ（図４参照）とが交わる位置を算出する。
【００４０】
（５）次に、設計者は、視線Ｓ（図６参照）と鉛直線Ｔ（図４参照）とが交わる位置が光学読取部３１による反射が発生しない距離や非接触読取部３２による磁界に干渉しない距離（庇部１２が金属製の場合）を満たすか否かを判定する。これらの条件を満たす場合、視線Ｓと鉛直線Ｔとが交わる位置を庇部１２の先端部とし、視線Ｓに沿って先端傾斜部１２ｂを設計する。一方、これらの条件を満たさない場合、鉛直線Ｔであって前記した条件を満たす位置（つまり、視線Ｓと鉛直線Ｔとが交わる位置から上方に移動した位置）を先端部とし、視線Ｓを妨げないように先端傾斜部１２ｂを設計する。
【００４１】
（６）次に、設計者は、庇部１２の上部傾斜部１２ｃの傾斜角度θ２を決定する。これにより、庇部１２の設計が完了する。
【００４２】
以上のように、実施形態に係る媒体読取装置１は、読取領域２１ｂの上方を覆う庇部１２を有する。これにより、利用者によって読取領域２１ｂにパスポート９以外の物が置かれるのを防ぐことができる。そのため、読取領域２１ｂに物が置かれることにより発生する不具合（例えば、読取領域２１ｂが傷付くことによる読取不良）を防ぐことができる。
【００４３】
また、実施形態に係る媒体読取装置１の庇部１２は、パスポート９と突当部２２ｆとが当接していること（つまり、パスポート９を正しく読取位置に載置できていること）を利用者が目視で確認することができる形状、または目視で確認しやすい形状を呈している。そのため、利用者がパスポート９を読取領域２１ｂの適切な位置に載置させ易くなる。
【００４４】
また、実施形態に係る媒体読取装置１の庇部１２は、上面が傾斜することによって庇部１２の上部に物が置けないまたは置き難くなっている。これにより、庇部１２の上部に物（特に、液体の入った飲料缶など）が置かれることを未然に防ぐことができる。そのため、例えば庇部１２の上部に置かれた飲料缶を倒されることもない。なお、仮に庇部１２の上部に固形物が置かれた場合でも、上部傾斜部１２ｃを滑り落ちて庇部１２の先端部から自由落下するので、読取領域２１ｂ上に固形物が落下することがない。そのため、読取領域２１ｂが傷付くことによる読取不良は発生しない。
【００４５】
［変形例］
以上、本発明の実施形態について説明したが、本発明はこれに限定されるものではなく、特許請求の範囲の趣旨を変えない範囲で実施することができる。実施形態の変形例は、例えば以下に示すものである。
【００４６】
実施形態に係る媒体読取装置１は、図４に示すように、庇部１２の上面部分（つまり、上部傾斜部１２ｃ）が傾斜した平面で構成されていた。しかしながら、庇部１２の上面部分の形状はこれに限定されるものではない。例えば、突起を付けて凸凹形状にすることによって、物をより置き難いようにしてもよい。庇部１２の上面部分に突条の突起を付けた媒体読取装置１Ａを図７に示す。図７に示す突起部１２ｄは、断面形状が矩形状を呈する。突起部１２ｄの間隔Ｌは、例えば、飲料缶の直径よりも小さくなっている。なお、突起部１２ｄは、断面形状が半円状を呈するものであってもよい。
【符号の説明】
【００４７】
１，１Ａ  媒体読取装置
２      読取ユニット
９      パスポート（媒体）
９ａ    コード領域
９ｂ    ＩＣチップ
１０    筐体
１１    本体部
１２    庇部
１２ａ  天井部
１２ｂ  先端傾斜部
１２ｃ  上部傾斜部
１２ｄ  突起部
１３    後壁部
１４    右側壁
１５    左側壁
２０    載置部
２１    ガラス板
２１ａ  載置面
２１ｂ  読取領域
２２    枠部材
２２ｅ  ガイド部
２２ｆ  突当部
３０    読取部
３１    光学読取部
３２    非接触読取部
【図１】
2020195067.tif 000003
【図２】
2020195067.tif 000004
【図３】
2020195067.tif 000005
【図４】
2020195067.tif 000006
【図５】
2020195067.tif 000007
【図６】
2020195067.tif 000008
【図７】
2020195067.tif 000009